(57)【要約】【課題】形状の異なる二種類のケーブルを接続させるケーブルコネクタを幅方向に小型化するとともに、このケーブルコネクタに備わるコンタクトの製造の効率化を図る。【解決手段】ハウジング１０２は、正面側と背面側とを貫通する貫通孔１０４を複数有する。ハウジング１０２の背面側には、挟持部嵌合孔１０４ｃが、貫通孔１０４と同じ数だけ列状に並んで設けられている。コンタクト１０３は、一枚の金属板をプレス加工して得られた複数の棒状部材から形成され、ピンコンタクト当接部１０８と挟持部１０５とこれらを連結する連結部１１２とを一体に有する。ピンコンタクト当接部１０８は、棒状部材の一端側を折り曲げ加工して形成され、貫通孔１０４に取り付けられる。挟持部１０５は、棒状部材の一端側を折り曲げ加工して形成され、挟持部嵌合孔１０４ｃに取り付けられる。【選択図】図１
2011049039.tif 000002
【特許請求の範囲】
【請求項１】
第１側部と第２側部とを有するハウジングと、
前記第１側部と前記第２側部とを貫通する複数の貫通孔と、
複数の前記貫通孔と同じ数だけ前記第２側部に設けられ、前記第２側部側において前記貫通孔の開口箇所とは異なる位置で列状に並ぶ挟持部嵌合孔と、
前記第２側部側の開口から入り込ませて前記貫通孔に取り付けられ前記第１側部側に位置する第１端子に接触する接触部と、前記挟持部嵌合孔に取り付けられ前記第２側部側に位置する第２端子を挟む挟持部と、前記接触部及び前記挟持部を連結する連結部と、を備えるコンタクトと、
を備え、
前記コンタクトは、一枚の金属板をプレス加工して得られた複数の棒状部材から形成されて前記接触部と前記挟持部と前記連結部とを一体に有し、当該接触部及び当該挟持部は各前記棒状部材の両端部を金属板のなす面に対して突出するように折曲加工して形成される、
ケーブルコネクタ。
【請求項２】
第１側部と第２側部とを有するハウジングと、
前記第１側部と前記第２側部とを貫通する複数の貫通孔と、
複数の前記貫通孔と同じ数だけ前記第２側部に設けられ、前記第２側部側において前記貫通孔の開口箇所とは異なる位置で列状に並ぶ挟持部嵌合孔と、
前記第２側部側の開口から入り込ませて前記貫通孔に取り付けられ前記第１側部側に位置する第１端子に接触する接触部と、前記挟持部嵌合孔に取り付けられ前記第２側部側に位置する第２端子を挟む挟持部と、前記接触部及び前記挟持部を連結する連結部と、を備えるコンタクトと、
を備え、
前記コンタクトは、
一枚の金属板をプレス加工して得られた複数の棒状部材から形成されて前記接触部の一部分と前記挟持部と前記連結部とを一体に有し、当該接触部の一部分及び当該挟持部は各前記棒状部材の両端部を金属板のなす面に対して突出するように折曲加工して形成される第１部材と、
前記接触部の一部分に接触して当該接触部の一部分とともに前記接触部の全体をなす第２部材と、
を含む、
ケーブルコネクタ。
【請求項３】
前記第２部材における前記接触部の一部分に接触する領域は、当該接触部の一部分よりも幅広の平坦面である、
請求項２記載のケーブルコネクタ。
【請求項４】
前記棒状部材は、直線形状に形成される、
請求項１ないし３のいずれか一に記載のケーブルコネクタ。
【請求項５】
一枚の金属板をプレス加工して得られた複数の棒状部材から形成されて第１端子に接触する接触部と第２端子を挟む挟持部と前記接触部及び前記挟持部を連結する連結部とを一体に有し、当該接触部及び当該挟持部は各前記棒状部材の両端部を金属板のなす面に対して突出するように折曲加工して形成される、
コンタクト。
【請求項６】
一枚の金属板をプレス加工して得られた複数の棒状部材から形成されて第１端子に接触する接触部の一部分と第２端子を挟む挟持部と前記接触部及び前記挟持部を連結する連結部とを一体に有し、当該接触部の一部分及び当該挟持部は各前記棒状部材の両端部を金属板のなす面に対して突出するように折曲加工して形成される第１部材と、
前記接触部の一部分に接触して当該接触部の一部分とともに前記接触部の全体をなす第２部材と、
を備えるコンタクト。
【請求項７】
前記第２部材における前記接触部の一部分に接触する領域は、当該接触部の一部分よりも幅広の平坦面である、
請求項６記載のケーブルコンタクト。
【請求項８】
前記棒状部材は、直線形状に形成される、
請求項５ないし７のいずれか一に記載のコンタクト。
【請求項９】
折曲加工によって第１端子に接触する接触部の全部又は一部になる第１部分と、折曲加工によって第２端子を挟む挟持部になる第２部分と、前記第１部分と前記第２部分とを連結する連結部と、を備える複数の棒状部材と、
前記棒状部材同士を連結するキャリア部と、
を備え、一枚の金属板から形成されるプレス品。
【発明の詳細な説明】
【技術分野】
【０００１】
本発明は、形状の異なる二種類のケーブルを接続するためのケーブルコネクタ、これに用いられるコンタクト、及び、このコンタクトとなるプレス品に関する。
【背景技術】
【０００２】
従来、形状の異なる二種類のケーブルを接続するためのケーブルコネクタの発明が開示されている。例えば、特許文献１に記載のケーブル側コネクタ３では、接触部２１ａに基板側コンタクト５１のピン型の接触部５１ａが取り付けられ、端子部２１ｂと係合部２１ｃとによってフレキシブルケーブル７の信号パターンを挟みこむ。
【先行技術文献】
【特許文献】
【０００３】
【特許文献１】特開平１０−２８４２０１号公報
【発明の概要】
【発明が解決しようとする課題】
【０００４】
一般に、フレキシブルケーブルの端子は、列状に、細かいピッチで並んでいる。一方、様々なケーブルに設けられるピン状の端子（以下、「端子ピン」）も列状に並んでいて、そのピッチは、フレキシブルケーブルの端子よりも大きい。このため、フレキシブルケーブルの端子とケーブルの端子ピンとをケーブルコネクタによって接続しようとすると、このケーブルコネクタの幅がフレキシブルケーブルの幅より大きくなってしまう。特に、ピン数が多い場合にはこの傾向が顕著である。さらに、双方の端子間を導通させるためのコンタクトの形状及びこれを含む内部構造を考えると、このようなケーブルコネクタの製品化は極めて困難である。
【０００５】
一例を挙げる。四十八個の端子ピンを列状に並べて有するケーブルと四十八個の端子を有するフレキシブルケーブルとを接続するコネクタでは、四十八種類のコンタクトを用意しなければならない。また、ケーブルコネクタの横幅が大きくなりすぎる。これでは、ケーブルコネクタの製品化に対して、生産技術の観点からも生産コストの観点からも、余りに不利である。
【０００６】
この点、特許文献１には、ケーブル側コネクタ３の断面図は示されているものの、この断面図に直交する方向に並ぶ基板側コンタクト５１のピン型の接触部５１ａの並び方が示されていない。そして、特許文献１には、フレキシブルケーブル７と基板側コンタクト５１とを接続するケーブル側コンタクト２１の立体的な形状も示されていない。
【０００７】
そこで、ケーブルにおいて端子ピンを複数列に並べたものを用い、コンタクトをこのようなケーブルの端子ピンに接触するように複数列に配置して、ケーブルコネクタを小型化することが考えられる。その一例を、図１３（ａ）及び図１３（ｂ）に示す。図１３（ａ）は、ケーブルコネクタ９０１の端子ピン接続側を示す模式図である。図１３（ｂ）は、ケーブルコネクタ９０１のフレキシブルケーブル接続側を示す模式図である。図１３（ａ）に示されるケーブルコネクタ９０１の側面と、図１３（ｂ）に示されるケーブルコネクタ９０１の側面とは、互いに反対側を向いている。そして、このケーブルコネクタ９０１では、四十八個の端子ピンを有するケーブルが、図１３（ａ）に示す側面に設けられた端子ピン接続部９０３に取り付けられる。また、このケーブルコネクタ９０１では、四十八個の端子を有するフレキシブルケーブルが、図１３（ｂ）に示す側面に設けられたフレキシブルケーブル端子接続部９０４に取り付けられる。この場合、確かにケーブルコネクタ９０１の幅は小さくなり、ケーブルコネクタ９０１に用いられるコンタクトの種類も減少する。しかしながら、今度は、フレキシブルケーブルの端子とケーブルの端子ピンとを繋ぐコンタクト９０２の形状が立体的になって複雑化してしまう。このため、コンタクト９０２を製造するための金型が増え、かつ、それぞれの金型が複雑化することによって製造準備コストの増大を引き起こし、また、それぞれのコンタクト９０２が非常に高価になってしまうという新たな問題が生じる。
【０００８】
本発明は、上記の点を鑑みてなされたものであり、形状の異なる二種類のケーブルを接続させるケーブルコネクタを幅方向に小型化するとともに、このケーブルコネクタに備わるコンタクトの製造の効率化を図ることを目的とする。
【課題を解決するための手段】
【０００９】
本発明のケーブルコネクタは、第１側部と第２側部とを有するハウジングと、前記第１側部と前記第２側部とを貫通する複数の貫通孔と、複数の前記貫通孔と同じ数だけ前記第２側部に設けられ、前記第２側部側において前記貫通孔の開口箇所とは異なる位置で列状に並ぶ挟持部嵌合孔と、前記第２側部側の開口から入り込ませて前記貫通孔に取り付けられ前記第１側部側に位置する第１端子に接触する接触部と、前記挟持部嵌合孔に取り付けられ前記第２側部側に位置する第２端子を挟む挟持部と、前記接触部及び前記挟持部を連結する連結部と、を備えるコンタクトと、を備え、前記コンタクトは、一枚の金属板をプレス加工して得られた複数の棒状部材から形成されて前記接触部と前記挟持部と前記連結部とを一体に有し、当該接触部及び当該挟持部は各前記棒状部材の両端部を金属板のなす面に対して突出するように折曲加工して形成される。
【００１０】
別の面から見た本発明のケーブルコネクタは、第１側部と第２側部とを有するハウジングと、前記第１側部と前記第２側部とを貫通する複数の貫通孔と、複数の前記貫通孔と同じ数だけ前記第２側部に設けられ、前記第２側部側において前記貫通孔の開口箇所とは異なる位置で列状に並ぶ挟持部嵌合孔と、前記第２側部側の開口から入り込ませて前記貫通孔に取り付けられ前記第１側部側に位置する第１端子に接触する接触部と、前記挟持部嵌合孔に取り付けられ前記第２側部側に位置する第２端子を挟む挟持部と、前記接触部及び前記挟持部を連結する連結部と、を備えるコンタクトと、を備え、前記コンタクトは、一枚の金属板をプレス加工して得られた複数の棒状部材から形成されて前記接触部の一部分と前記挟持部と前記連結部とを一体に有し、当該接触部の一部分及び当該挟持部は各前記棒状部材の両端部を金属板のなす面に対して突出するように折曲加工して形成される第１部材と、前記接触部の一部分に接触して当該接触部の一部分とともに前記接触部の全体をなす第２部材と、を含む。
【００１１】
本発明のコンタクトは、一枚の金属板をプレス加工して得られた複数の棒状部材から形成されて第１端子に接触する接触部と第２端子を挟む挟持部と前記接触部及び前記挟持部を連結する連結部とを一体に有し、当該接触部及び当該挟持部は各前記棒状部材の両端部を金属板のなす面に対して突出するように折曲加工して形成される。
【００１２】
別の面から見た本発明のコンタクトは、一枚の金属板をプレス加工して得られた複数の棒状部材から形成されて第１端子に接触する接触部の一部分と第２端子を挟む挟持部と前記接触部及び前記挟持部を連結する連結部とを一体に有し、当該接触部の一部分及び当該挟持部は各前記棒状部材の両端部を金属板のなす面に対して突出するように折曲加工して形成される第１部材と、前記接触部の一部分に接触して当該接触部の一部分とともに前記接触部の全体をなす第２部材と、を備える。
【発明の効果】
【００１３】
本発明によれば、第１端子に接触する接触部の列が複数段にまとまってハウジングが幅方向に小型化され、ケーブルコネクタが幅方向に小型化される。そして、このようなハウジングに取り付けられるコンタクトについては、一枚の金属板をプレス加工して得られた複数の棒状部材から形成されるため、コンタクトの製造の効率化が図られる。
【図面の簡単な説明】
【００１４】
【図１】第一の実施の形態における、ケーブルコネクタ１０１の六面図であり、（ａ）は、ケーブルコネクタ１０１の正面図、（ｂ）は、ケーブルコネクタ１０１の背面図、（ｃ）は、ケーブルコネクタ１０１の左側面図、（ｄ）は、ケーブルコネクタ１０１の平面図、（ｅ）は、ケーブルコネクタ１０１の右側面図、（ｆ）は、ケーブルコネクタ１０１の底面図である。
【図２】（ａ）〜（ｅ）は、五種類のコンタクトのそれぞれの正面図、（ｆ）〜（ｊ）は、五種類のコンタクトのそれぞれの右側面図である。
【図３】（ａ）は、五種類のワイヤ体に分離される前のプレス品の平面図、（ｂ）は、プレス品から分離されたワイヤ体１０７Ｂ，１０７Ｅを示す（ａ）のＹＡ矢視図、（ｃ）は、プレス品から分離されたワイヤ体１０７Ｃ，１０７Ｄを示す（ａ）のＹＡ矢視図、（ｄ）は、プレス品から分離されたワイヤ体１０７Ａを示す（ａ）のＹＡ矢視図、（ｅ）は、プレス品から分離されたワイヤ体１０７Ａを示す（ａ）のＹＢ矢視図である。
【図４】挟持部及びピンコンタクト当接部を形成するための折曲加工をする前のプレス品の平面図である。
【図５】ケーブルコネクタの部分断面斜視図である。
【図６】ケーブルコネクタの右断面図である。
【図７】第二の実施の形態における、ケーブルコネクタの六面図であり、（ａ）は、ケーブルコネクタの正面図、（ｂ）は、ケーブルコネクタの背面図、（ｃ）は、ケーブルコネクタの左側面図、（ｄ）は、ケーブルコネクタの平面図、（ｅ）は、ケーブルコネクタの右側面図、（ｆ）は、ケーブルコネクタの底面図である。
【図８】三種類のワイヤ体に分離される前のプレス品１０９の平面図である。
【図９】挟持部及びピンコンタクト当接部を形成するための折曲加工をする前のプレス品の平面図である。
【図１０】第三の実施の形態における、ケーブルコネクタの背面図である。
【図１１】ピンコンタクトの斜視図である。
【図１２】ピンコンタクトのワイヤ当接部にワイヤ体のピンコンタクト当接部が当接している様子を示す斜視図である。
【図１３】（ａ）は、ケーブルコネクタのピン端子側を示す模式図、（ｂ）は、ケーブルコネクタのフレキシブルケーブル接続側を示す模式図である。
【発明を実施するための形態】
【００１５】
実施の一形態を、図１ないし図６に基づいて説明する。説明の便宜上、本実施の形態を第一の実施の形態と呼ぶ。図１は、ケーブルコネクタ１０１の六面図であり、（ａ）は、ケーブルコネクタ１０１の正面図、（ｂ）は、ケーブルコネクタ１０１の背面図、（ｃ）は、ケーブルコネクタ１０１の左側面図、（ｄ）は、ケーブルコネクタ１０１の平面図、（ｅ）は、ケーブルコネクタ１０１の右側面図、（ｆ）は、ケーブルコネクタ１０１の底面図である。ケーブルコネクタ１０１は、ハウジング１０２と、コンタクト１０３とを備える。ハウジング１０２は、略直方体形状であって、正面視及び背面視において略正方形に見える。
【００１６】
ケーブルコネクタ１０１の正面側（第１側部側）には、プラグ付ケーブル５０１（図６参照）が取り付けられる。このプラグ付ケーブル５０１は、第１端子としての端子ピン５０２（図６参照）を十本備える上段ユニット５０１ａと、端子ピン５０２を十八本備える中段ユニット５０１ｂと、端子ピン５０２を二十本備える下段ユニット５０１ｃとの集合体である。上段ユニット５０１ａと中段ユニット５０１ｂと下段ユニット５０１ｃとは、それぞれ別体である。これらの集合体であるプラグ付ケーブル５０１からは、それぞれ独立したディスクリート線５０３が四十八本延出している。各ディスクリート線５０３には、端子ピン５０２が取り付けられている。これらの端子ピン５０２は、上段ユニット５０１ａ、中段ユニット５０１ｂ及び下段ユニット５０１ｃのそれぞれにおいて、等間隔に列状に並んでいる。
【００１７】
図１（ａ）に示すように、ハウジング１０２には、正面側から背面側（第２側部側）に向けて貫通する貫通孔１０４が、プラグ付ケーブル５０１に備わる端子ピン５０２に対応させて四十八個設けられている。より詳しくは、ハウジング１０２の正面側の上段には、上段ユニット５０１ａに備わる端子ピン５０２に対応する十個の貫通孔１０４が幅方向に列状に設けられている。また、ハウジング１０２の正面側の中段には、中段ユニット５０１ｂに備わる端子ピン５０２に対応する十八個の貫通孔１０４が幅方向に列状に設けられている。また、ハウジング１０２の正面側の下段には、下段ユニット５０１ｃに備わる端子ピン５０２に対応する二十個の貫通孔１０４が幅方向に列状に設けられている。各貫通孔１０４の内部には、コンタクト１０３の一端部１０３ａが位置付けられている。プラグ付ケーブル５０１がケーブルコネクタ１０１の正面側に取り付けられると、端子ピン５０２はコンタクト１０３に接触する。以下、説明の便宜上、上段ユニット５０１ａの端子ピン５０２に対応する貫通孔１０４を、上段貫通孔１０４Ａと呼ぶことがある。また、中段ユニット５０１ｂの端子ピン５０２に対応する貫通孔１０４を、中段貫通孔１０４Ｂと呼ぶことがある。また、下段ユニット５０１ｃの端子ピン５０２に対応する貫通孔１０４を、下段貫通孔１０４Ｃと呼ぶことがある。
【００１８】
ケーブルコネクタ１０１の背面側の下方には、フレキシブルフラットケーブル６０１（図６）が取り付けられる。このフレキシブルフラットケーブル６０１の端辺には、第２端子としてのＦＦＣ端子６０２（図６参照）が四十八個設けられている。ＦＦＣ端子６０２は、等間隔に一列に並んでいる。また、各ＦＦＣ端子６０２からは、ＦＦＣ配線６０３（図６参照）が延びている。ここで、図１（ｂ）に示すように、ケーブルコネクタ１０１の背面側の下方には、ＦＦＣ端子６０２を挟みこむ挟持部１０５が、フレキシブルフラットケーブル６０１におけるＦＦＣ端子６０２に対応する位置に四十八個配置される。各挟持部１０５は、コンタクト１０３の他端部１０３ｂに折り曲げ加工によって形成される。フレキシブルフラットケーブルは、各ＦＦＣ端子６０２を挟持部１０５に挟みこませて、ケーブルコネクタ１０１の背面側の下方に取り付けられる。
【００１９】
図１（ａ）及び図１（ｂ）を参照する。本実施の形態では、挟持部１０５が、ケーブルコネクタ１０１の左右方向に０．５ｍｍピッチで一列に四十八個並んでいる。また、上段貫通孔１０４Ａは、ケーブルコネクタ１０１の左右方向に２．５ｍｍピッチで一列に十個並んでいる。また、中段貫通孔１０４Ｂは、ケーブルコネクタ１０１の左右方向に１．２５ｍｍピッチで一列に十八個並んでいる。また、下段貫通孔１０４Ｃは、ケーブルコネクタ１０１の左右方向に１．２５ｍｍピッチで一列に二十個並んでいる。
【００２０】
以下、コンタクト１０３について説明する。コンタクト１０３は、ケーブルコネクタ１０１に取り付けられ、プラグ付ケーブル５０１の端子ピン５０２とフレキシブルフラットケーブル６０１のＦＦＣ端子６０２との間の電気信号の伝達経路を形成する。図１（ａ）及び図１（ｂ）に基づいて説明したように、貫通孔１０４の配置ピッチ及び挟持部１０５の配置ピッチは多岐に渡る。そこで、本実施の形態のケーブルコネクタ１０１には、五種類のコンタクト１０３が必要になる。これらのコンタクト１０３を、図１（ｂ）において、符号１０３Ａ，１０３Ｂ，１０３Ｃ，１０３Ｄ，１０３Ｅで示す。
【００２１】
図２（ａ）は、コンタクト１０３Ａの正面図である。図２（ｆ）は、コンタクト１０３Ａの右側面図である。コンタクト１０３Ａは、第２部材としてのピンコンタクト１０６と第１部材としてのワイヤ体１０７Ａとを有する。ワイヤ体１０７Ａは、五種類のワイヤ体１０７Ａ〜１０７Ｅの中で最も長く、正面視において直線形状をなしている。ワイヤ体１０７Ａの一端部には、折り曲げ加工によって挟持部１０５が設けられる。この挟持部１０５とは反対側のワイヤ体１０７Ａの他端部には、折り曲げ加工によってピンコンタクト当接部１０８が形成される。ピンコンタクト当接部１０８には、ピンコンタクト１０６が接触する。このコンタクト１０３Ａについて、ピンコンタクト１０６とピンコンタクト当接部１０８とは、上段貫通孔１０４Ａに入り込み、これらが接触部としての役割を果たす。
【００２２】
図２（ｂ）は、コンタクト１０３Ｂの正面図である。図２（ｇ）は、コンタクト１０３Ｂの右側面図である。コンタクト１０３Ｂは、ケーブルコネクタ１０１においてコンタクト１０３Ａの右隣に配置される。コンタクト１０３Ｂは、ピンコンタクト１０６と第１部材としてのワイヤ体１０７Ｂとを有する。ワイヤ体１０７Ｂは、五種類のワイヤ体１０７Ａ〜１０７Ｅの中で最も短く、正面視において上方に向かう途中で右方向に折れ曲がる形状をなしている。ワイヤ体１０７Ｂの一端部には、折り曲げ加工によって挟持部１０５が設けられる。この挟持部１０５とは反対側のワイヤ体１０７Ｂの他端部には、折り曲げ加工によってピンコンタクト当接部１０８が形成される。ピンコンタクト当接部１０８には、ピンコンタクト１０６が接触する。このコンタクト１０３Ｂについて、ピンコンタクト１０６とピンコンタクト当接部１０８とは、下段貫通孔１０４Ｃに入り込み、これらが接触部としての役割を果たす。
【００２３】
図２（ｃ）は、コンタクト１０３Ｃの正面図である。図２（ｈ）は、コンタクト１０３Ｃの右側面図である。コンタクト１０３Ｃは、ケーブルコネクタ１０１においてコンタクト１０３Ｂの右隣に配置される。コンタクト１０３Ｃは、ピンコンタクト１０６と第１部材としてのワイヤ体１０７Ｃとを有する。ワイヤ体１０７Ｃは、ワイヤ体１０７Ａよりも短くワイヤ体１０７Ｂよりも長い。そして、ワイヤ体１０７Ｃは、正面視において挟持部１０５から上方に向かう途中で左方向に折れ曲がった形状をなしている。ワイヤ体１０７Ｃの一端部には、折り曲げ加工によって挟持部１０５が設けられる。この挟持部１０５とは反対側のワイヤ体１０７Ｃの他端部には、折り曲げ加工によってピンコンタクト当接部１０８が形成される。ピンコンタクト当接部１０８には、ピンコンタクト１０６が接触する。このコンタクト１０３Ｃについて、ピンコンタクト１０６とピンコンタクト当接部１０８とは、中段貫通孔１０４Ｂに入り込み、これらが接触部としての役割を果たす。
【００２４】
図２（ｄ）は、コンタクト１０３Ｄの正面図である。図２（ｉ）は、コンタクト１０３Ｄの右側面図である。コンタクト１０３Ｄは、ケーブルコネクタ１０１においてコンタクト１０３Ｃの右隣に配置される。コンタクト１０３Ｄは、ピンコンタクト１０６と第１部材としてのワイヤ体１０７Ｄとを有する。ワイヤ体１０７Ｄは、正面視においてワイヤ体１０７Ｃとは左右対称な形状をなしている。ワイヤ体１０７Ｄの一端部には、折り曲げ加工によって挟持部１０５が設けられる。この挟持部１０５とは反対側のワイヤ体１０７Ｄの他端部には、折り曲げ加工によってピンコンタクト当接部１０８が形成される。ピンコンタクト当接部１０８には、ピンコンタクト１０６が接触する。このコンタクト１０３Ｄについて、ピンコンタクト１０６とピンコンタクト当接部１０８とは、中段貫通孔１０４Ｂに入り込み、これらが接触部としての役割を果たす。
【００２５】
図２（ｅ）は、コンタクト１０３Ｅの正面図である。図２（ｊ）は、コンタクト１０３Ｅの右側面図である。コンタクト１０３Ｅは、ケーブルコネクタ１０１においてコンタクト１０３Ｄの右隣に配置される。コンタクト１０３Ｅは、ピンコンタクト１０６と第１部材としてのワイヤ体１０７Ｅとを有する。ワイヤ体１０７Ｅは、正面視においてコンタクト１０３Ｂとは左右対称な形状をなしている。ワイヤ体１０７Ｅの一端部には、折り曲げ加工によって挟持部１０５が設けられる。この挟持部１０５とは反対側のワイヤ体１０７Ｅの他端部には、折り曲げ加工によってピンコンタクト当接部１０８が形成される。ピンコンタクト当接部１０８には、ピンコンタクト１０６が接触する。このコンタクト１０３Ｄについて、ピンコンタクト１０６とピンコンタクト当接部１０８とは、下段貫通孔１０４Ｃに入り込み、これらが接触部としての役割を果たす。
【００２６】
図２（ａ）〜図２（ｊ）を参照する。ピンコンタクト１０６は、側面視において細長い矩形形状の平板部材である。ピンコンタクト１０６の厚さは、ワイヤ体１０７Ａ〜１０７Ｅの幅よりも厚い。ピンコンタクト１０６における一方の短辺側の部分には、ワイヤ当接部１０６ａが設けられている。ワイヤ当接部１０６ａは、ピンコンタクト１０６の端面で角部となる部分を内側に凹まして形成される。このピンコンタクト１０６には、ワイヤ体１０７Ａ〜１０７Ｅのピンコンタクト当接部１０８に当接する。また、ピンコンタクト１０６における他方の短辺側の部分は、端子ピン当接部１０６ｂを有する。端子ピン当接部１０６ｂは、ピンコンタクト１０６の長手方向に突出する形状をなし、ケーブルコネクタ１０１に取り付けられたプラグ付ケーブル５０１の端子ピン５０２に当接する。さらに、ピンコンタクト１０６の側面には、溝部１０４ａ（図５参照）に入り込む爪１０６ｄが設けられている。
【００２７】
図３（ａ）は、ワイヤ体１０７Ａ〜１０７Ｅに分離される前のプレス品１０９の平面図である。図３（ｂ）は、プレス品１０９から分離されたワイヤ体１０７Ｂ，１０７Ｅを示す図３（ａ）のＹＡ矢視図である。図３（ｃ）は、プレス品１０９から分離されたワイヤ体１０７Ｃ，１０７Ｄを示す図３（ａ）のＹＡ矢視図である。図３（ｄ）は、プレス品１０９から分離されたワイヤ体１０７Ａを示す図３（ａ）のＹＡ矢視図である。図３（ｅ）は、プレス品１０９から分離されたワイヤ体１０７Ａを示す図３（ａ）のＹＢ矢視図である。また、図４は、挟持部１０５及びピンコンタクト当接部１０８を形成するための折曲加工をする前のプレス品１０９の平面図である。ワイヤ体１０７Ａ〜１０７Ｅは、図４に示すプレス品１０９の棒状部材１０７Ａ’〜１０７Ｅ’に対して折り曲げ加工を施し、続いてキャリア部１１０（図３（ａ）、図４において斜線で示される部分）を取り除くことによって形成される。ここで、ワイヤ体１０７Ａ〜１０７Ｅは、図４に示すキャリア部１１０を取り除いて棒状部分１０７Ａ’〜１０７Ｅ’を取り出し、これに続いてそれぞれの棒状部材１０７Ａ’〜１０７Ｅ’を折り曲げ加工して得ることもできる。プレス品１０９は、一枚の金属板からプレス加工によって形成される。また、キャリア部１１０は、プレス加工によって形成される棒状部材１０７Ａ’〜１０７Ｅ’同士を、バラバラに分離しないよう連結している。図４における棒状部材１０７Ａ’〜１０７Ｅ’の左端部１０７Ｌ（第１部分）は、金属板のなす面に対して下方に突出する形状に折り曲げられ、ピンコンタクト当接部１０８となる（図３（ｂ）〜（ｄ）参照）。また、図４における棒状部材１０７Ａ’〜１０７Ｅ’の右端部１０７Ｒ（第２部分）は、金属板のなす面に対して下方に突出するよう折り曲げられて下方に突出するコ字形状とし、さらに右端部１０７Ｒの先端をこのコ字形状の内側に位置付けるよう突出する形状に折り曲げられて、挟持部１０５となる（図３（ｂ）〜（ｄ）参照）。つまり、ワイヤ体１０７Ａ〜１０７Ｅは、ピンコンタクト当接部１０８と挟持部１０５とこれらを連結する連結部１１２とを一体に有する。また、図４に示すように、棒状部材１０７Ａ’〜１０７Ｅ’の右端部１０７Ｒの一部は、幅広に形成される幅広部１１１が形成されている。
【００２８】
図５は、ケーブルコネクタ１０１の部分断面斜視図である。ハウジング１０２の貫通孔１０４に対し、ピンコンタクト１０６は、ケーブルコネクタ１０１の背面側から、図５中の矢印ＺＢの方向に圧入される。このとき、ワイヤ当接部１０６ａは、ケーブルコネクタ１０１の背面側に向けられる。また、端子ピン当接部１０６ｂは、ケーブルコネクタ１０１の正面側に向けられる。なお、ハウジング１０２の貫通孔１０４の内側面には、ピンコンタクト１０６の爪１０６ｄが入り込むための溝部１０４ａが形成されている。爪１０６ｄが溝部１０４ａに入り込むことで、貫通孔１０４に圧入されたピンコンタクト１０６は脱落しない。
【００２９】
圧入されたピンコンタクト１０６と貫通孔１０４の内周面とによって、ケーブルコネクタ１０１の背面側には、ピンコンタクト嵌合孔１０４ｂが形成される。このピンコンタクト嵌合孔１０４ｂには、ワイヤ体１０７Ａ〜１０７Ｅのピンコンタクト当接部１０８が嵌合する。ハウジング１０２において、貫通孔１０４の下方には、ワイヤ体１０７Ａ〜１０７Ｅの挟持部１０５が嵌合する挟持部嵌合孔１０４ｃが設けられている。挟持部嵌合孔１０４ｃは、貫通孔１０４と同じ数だけハウジング１０２の背面側に列状に設けられている。この列は、各貫通孔１０４の背面側の開口とは異なる位置で延びており、この開口からこの背面側の表面に沿って互いに平行に延びる各仮想線ＶＬ（図１参照）のいずれに対しても交差する向きに向いている。
【００３０】
ワイヤ体１０７Ａ〜１０７Ｅは、ピンコンタクト当接部１０８をピンコンタクト嵌合孔１０４ｂに嵌合させ、挟持部１０５を挟持部嵌合孔１０４ｃに嵌合させて、ケーブルコネクタ１０１の背面側から図５中の矢印ＺＢの方向に取り付けられる。その結果、ワイヤ体１０７Ａ〜１０７Ｅとピンコンタクト１０６とは、互いに接触し、コンタクト１０３Ａ〜１０３Ｅとしての役割を果たす。
【００３１】
図６は、ケーブルコネクタ１０１の右断面図である。ケーブルコネクタ１０１の正面側（図６では、右側）にプラグ付ケーブル５０１を構成する上段ユニット５０１ａ、中段ユニット５０１ｂ及び下段ユニット５０１ｃのそれぞれが取り付けられた場合、上段貫通孔１０４Ａに圧入されたピンコンタクト１０６には、上段ユニット５０１ａの端子ピン５０２が接触する。また、中段貫通孔１０４Ｂに圧入されたピンコンタクト１０６には、中段ユニット５０１ｂの端子ピン５０２が接触する。また、下段貫通孔１０４Ｃに圧入されたピンコンタクト１０６には、下段ユニット５０１ｃの端子ピン５０２が接触する。一方、ケーブルコネクタ１０１の背面側（図６では、左側）にフレキシブルフラットケーブル６０１が取り付けられた場合、ＦＦＣ端子６０２は挟持部１０５に接触し、保持される。ここで、ケーブルコネクタ１０１の正面側には四十八本のピンコンタクト１０６が突出し、ケーブルコネクタ１０１の背面側には四十八個の挟持部１０５が設けられている。そして、挟持部１０５を有するワイヤ体１０７Ａ〜１０７Ｅとピンコンタクト１０６とは一対一に対応して接触している。このため、プラグ付ケーブル５０１とフレキシブルフラットケーブル６０１とがケーブルコネクタ１０１に取り付けられると、プラグ付ケーブル５０１のディスクリート線５０３とフレキシブルフラットケーブル６０１のＦＦＣ配線６０３とは電気的に接続され、プラグ付ケーブル５０１とフレキシブルフラットケーブル６０１との間の電気信号の伝達が可能になる。
【００３２】
このように、本実施の形態のケーブルコネクタ１０１では、プラグ付ケーブル５０１の端子ピン５０２に接触するコンタクト１０３の一端部１０３ａが複数段に分かれて設けられており、ハウジング１０２が幅方向に小型化される。
【００３３】
また、図３（ａ）〜（ｅ）及び図４に基づいて説明したように、本実施の形態のケーブルコネクタ１０１に取り付けられる五種類のコンタクト１０３（コンタクト１０３Ａ〜１０３Ｅ）は、金属板をプレス加工して作られた一つのプレス品１０９を折り曲げ加工し分離させて得たワイヤ体１０７Ａ〜１０７Ｅを用いて作られる。このように、本実施の形態では、端子ピン５０２とＦＦＣ端子６０２とを繋ぐコンタクト１０３の種類が多く、かつ、その形状が立体的になって複雑化であっても、一つの金型でプレス品１０９を製造できる。このため、コンタクト１０３の製造の効率化を図れる。そして、コンタクト１０３を作るための金型の個数が増えず、製造準備コストの増大を引き起こさない。
【００３４】
さらに、本実施の形態のケーブルコネクタ１０１に用いられるコンタクト１０３は、ピンコンタクト１０６とワイヤ体１０７Ａ〜１０７Ｅとの二部品によって構成される。このため、奥行方向の大きさが異なるハウジング１０２に対しても、ワイヤ体１０７Ａ〜１０７Ｅの形状を変えることなく、ピンコンタクト１０６の長さを変えるだけでケーブルコネクタ１０１を製造することができる。また、コンタクト１０３が二部品で形成されることで、ピンコンタクト１０６の厚さがワイヤ体１０７Ａ〜１０７Ｅの幅よりも大きくすることができ、これによって必要なピンコンタクト１０６の強度が確保されるため、ケーブルコネクタ１０１に対するプラグ付ケーブル５０１の接続を確実にすることができる。
【００３５】
なお、本実施の形態で示したプラグ付ケーブル５０１は、それぞれ別体である上段ユニット５０１ａと中段ユニット５０１ｂと下段ユニット５０１ｃとの集合体であるが、変形例として、プラグ付ケーブル５０１が、四十八本のピンコンタクト１０６を貫通孔１０４（上段貫通孔１０４Ａ、中段貫通孔１０４Ｂ、下段貫通孔１０４Ｃ）のそれぞれに対応させる位置に保持するハウジングを有して構成されていてもよい。
【００３６】
次いで、実施の別の一形態を、図７ないし図９に基づいて説明する。説明の便宜上、本実施の形態を第二の実施の形態と呼ぶ。以下の説明において、第一の実施の形態と同一の部分には同じ符号を付し、説明も省略する。
【００３７】
図７は、ケーブルコネクタ１０１の六面図であり、（ａ）は、ケーブルコネクタ１０１の正面図、（ｂ）は、ケーブルコネクタ１０１の背面図、（ｃ）は、ケーブルコネクタ１０１の左側面図、（ｄ）は、ケーブルコネクタ１０１の平面図、（ｅ）は、ケーブルコネクタ１０１の右側面図、（ｆ）は、ケーブルコネクタ１０１の底面図である。本実施の形態のケーブルコネクタ１０１の正面側に取り付けられるプラグ付ケーブル（図示せず）は、端子ピン５０２を幅方向に列状に十五本備える上段ユニット（図示せず）と、端子ピン５０２を幅方向に列状に十六本備える中段ユニット（図示せず）と、端子ピン５０２を幅方向に列状に十七本備える下段ユニット（図示せず）との集合体である。
【００３８】
本実施の形態では、挟持部１０５が、ケーブルコネクタ１０１の背面側に左右方向に０．５ｍｍピッチで一列に四十八個並んでいる。但し、この挟持部１０５のうち、右端の挟持部１０５とその左隣の挟持部１０５とは、１．０ｍｍピッチで離間している。また、本実施の形態のハウジング１０２には、貫通孔１０４が、プラグ付ケーブル５０１における端子ピン５０２に対応する位置に四十八個設けられている。より詳細には、上段貫通孔１０４Ａは、ケーブルコネクタ１０１の左右方向に１．５ｍｍピッチで一列に十五個並んでいる。また、中段貫通孔１０４Ｂは、ケーブルコネクタ１０１の左右方向に１．５ｍｍピッチで一列に十六個並んでいる。また、下段貫通孔１０４Ｃは、ケーブルコネクタ１０１の左右方向に１．５ｍｍピッチで一列に十七個並んでいる。そして、本実施の形態では、図１（ｂ）に示すように各仮想線ＶＬを引いた場合、仮想線ＶＬ同士がワイヤ体１０７Ｆ〜１０７Ｈを配置できない程に近接したり重なったりしない。
【００３９】
本実施の形態のケーブルコネクタ１０１には、三種類のコンタクト１０３が用いられる。これらのコンタクト１０３を、図７（ｂ）において、符号１０３Ｆ，１０３Ｇ，１０３Ｈで示す。コンタクト１０３Ｆは、ピンコンタクト１０６とワイヤ体１０７Ｆとを有する。コンタクト１０３Ｇは、ピンコンタクト１０６とワイヤ体１０７Ｇとを有する。コンタクト１０３Ｈは、ピンコンタクト１０６とワイヤ体１０７Ｈとを有する。ワイヤ体１０７Ｆ〜１０７Ｈは、いずれも、正面視において略直線形状となっている。
【００４０】
コンタクト１０３Ｆは、ピンコンタクト１０６とワイヤ体１０７Ｆとを有する。ワイヤ体１０７Ｆは、三種類のワイヤ体１０７Ｆ〜１０７Ｈの中で最も短い。ワイヤ体１０７Ｆに形成されたピンコンタクト当接部１０８及びこれに接触するピンコンタクト１０６は、上段貫通孔１０４Ａに入り込む。
【００４１】
コンタクト１０３Ｇは、ピンコンタクト１０６とワイヤ体１０７Ｇとを有する。ワイヤ体１０７Ｇは、ワイヤ体１０７Ｆよりも長い。ワイヤ体１０７Ｇに形成されたピンコンタクト当接部１０８及びこれに接触するピンコンタクト１０６は、中段貫通孔１０４Ｂに入り込む。
【００４２】
コンタクト１０３Ｈは、ピンコンタクト１０６とワイヤ体１０７Ｈとを有する。ワイヤ体１０７Ｈは、三種類のワイヤ体１０７Ｆ〜１０７Ｈの中で最も長い。ワイヤ体１０７Ｈに形成されたピンコンタクト当接部１０８及びこれに接触するピンコンタクト１０６は、下段貫通孔１０４Ｃに入り込む。
【００４３】
本実施の形態のピンコンタクト１０６は、前述した実施の形態のピンコンタクト１０６と同じものである。
【００４４】
図８は、ワイヤ体１０７Ｆ〜１０７Ｈに分離される前のプレス品１０９の平面図である。図９は、挟持部１０５及びピンコンタクト当接部１０８を形成するための折曲加工をする前のプレス品１０９の平面図である。ワイヤ体１０７Ｆ〜１０７Ｈは、金属板をプレス加工して作られたプレス品１０９からキャリア部１１０（図８、図９において斜線で示される部分）を取り除くことによって形成される。
【００４５】
本実施の形態のケーブルコネクタ１０１でも、挟持部１０５を有するワイヤ体１０７Ｆ〜１０７Ｈとピンコンタクト１０６とは一対一に対応して接触しており、プラグ付ケーブル５０１とフレキシブルフラットケーブル６０１との間の電気信号の伝達が可能になる。
【００４６】
そして、本実施の形態のケーブルコネクタ１０１でも、プラグ付ケーブル５０１の端子ピン５０２に接触するコンタクト１０３の一端部１０３ａが複数段に分かれて設けられており、ハウジング１０２が幅方向に小型化される。
【００４７】
また、本実施の形態のケーブルコネクタ１０１でも、金属板をプレス加工して作られた一つのプレス品１０９を折り曲げ加工し分離させて得たワイヤ体１０７Ｆ〜１０７Ｈを用いて作られるため、コンタクト１０３を一つの金型でプレス品１０９を製造できる。このため、コンタクト１０３の製造の効率化を図れる。そして、コンタクト１０３を作るための金型の個数が増えず、製造準備コストの増大を引き起こさない。
【００４８】
さらに、本実施の形態のケーブルコネクタ１０１でも、コンタクト１０３はピンコンタクト１０６とワイヤ体１０７Ｆ〜１０７Ｈとの二部品によって構成され、奥行方向の大きさが異なるハウジング１０２に対しても容易にケーブルコネクタ１０１を製造することができ、また、ピンコンタクト１０６の厚さがワイヤ体１０７Ｆ〜１０７Ｈの幅よりも大きくして、ケーブルコネクタ１０１に対するプラグ付ケーブル５０１の接続を確実にすることができる。
【００４９】
さらに、本実施の形態のケーブルコネクタ１０１でのワイヤ体１０７Ｆ〜１０７Ｈは直線形状のものである。このため、プレス品１０９を形成するための金型の形状をシンプルにすることができ、また、プレス品１０９からキャリア部１１０を取り去る作業も容易になって、製造の効率化が図れ、製造コストの低減化に繋がる。
【００５０】
次いで、実施の別の一形態を、図１０ないし図１２に基づいて説明する。説明の便宜上、本実施の形態を第三の実施の形態と呼ぶ。以下の説明において、これまでに述べた実施の形態と同一の部分には同じ符号を付し、説明も省略する。本実施の形態は、基本的には第一の実施の形態に準じたものであるが、その技術内容は当然のことながら第二の実施の形態に適用することができる。
【００５１】
図１０は、ケーブルコネクタ１０１の背面図である。本実施の形態のケーブルコネクタ１０１の正面側に取り付けられるプラグ付ケーブル５０１は、第一の実施の形態に用いられるプラグ付ケーブル５０１と同じものである。また、ワイヤ体１０７Ｊ（第一の実施の形態におけるワイヤ体１０７Ａに対応）のピンコンタクト当接部１０８は、上段貫通孔１０４Ａに圧入されるピンコンタクト１０６の上面中央に接触する。また、ワイヤ体１０７Ｋ（第一の実施の形態におけるワイヤ体１０７Ｂに対応）のピンコンタクト当接部１０８は、下段貫通孔１０４Ｃに圧入されるピンコンタクト１０６の上面で中央よりも左寄りの箇所に接触する。また、ワイヤ体１０７Ｌ（第一の実施の形態におけるワイヤ体１０７Ｃに対応）のピンコンタクト当接部１０８は、中段貫通孔１０４Ｂに圧入されるピンコンタクト１０６の右端部に接触する。また、ワイヤ体１０７Ｍ（第一の実施の形態におけるワイヤ体１０７Ｄに対応）のピンコンタクト当接部１０８は、中段貫通孔１０４Ｂに圧入されるピンコンタクト１０６の左端部に接触する。また、ワイヤ体１０７Ｎ（第一の実施の形態におけるワイヤ体１０７Ｅに対応）のピンコンタクト当接部１０８は、下段貫通孔１０４Ｃに圧入されるピンコンタクト１０６の上面で中央よりも右寄りの箇所に接触する。
【００５２】
図１１は、ピンコンタクト１０６の斜視図である。本実施の形態のピンコンタクト１０６は、平面視において細長い矩形形状に見える平板部材であり、その上面は平坦である。そして、ワイヤ当接部１０６ａは、端子ピン当接部１０６ｂとは反対側になるピンコンタクト１０６の上面の領域１０６ｃである。図１１では、この領域１０６ｃは斜線で示されている。
【００５３】
図１２は、ピンコンタクト１０６のワイヤ当接部１０６ａにワイヤ体１０７Ｊ〜１０７Ｎのピンコンタクト当接部１０８が当接している様子を示す斜視図である。なお、図１２では、貫通孔１０４を一点鎖線で示す。本実施の形態では、ワイヤ当接部１０６ａが平坦になっている。このため、ピンコンタクト当接部１０８は、ピンコンタクト１０６の上面の所定の箇所に限られず、この箇所から左右方向にずれた箇所であってもよい。その結果、図１に示すように、本実施の形態では、コンタクト１０３Ａ〜１０３Ｅを構成するワイヤ体１０７Ｊ〜１０７Ｎ（第一の実施の形態におけるワイヤ体１０７Ａ〜１０７Ｅに対応）は直線状になる。
【００５４】
本実施の形態のケーブルコネクタ１０１でも、これまでに述べた実施の形態のケーブルコネクタ１０１と同様に、幅方向に小型化され、コンタクト１０３の製造が効率化され、ケーブルコネクタ１０１に対するプラグ付ケーブル５０１の接続を確実にできる。
【００５５】
さらに、本実施の形態のケーブルコネクタ１０１では、ピンコンタクト１０６のワイヤ当接部１０６ａに対するピンコンタクト当接部１０８の接触位置が限定されない。このため、第一の実施の形態のハウジング１０２のように貫通孔１０４が三段に並べて設けられて貫通孔１０４の上下方向の並び方にバラツキがあっても、ワイヤ体１０７Ｊ〜１０７Ｎを直線形状にして、プレス品１０９を形成するための金型の形状をシンプルにすることができる。そして、プレス品１０９からキャリア部１１０を取り去る作業も容易にし、製造の効率化を図って、製造コストを低減させることができる。
【符号の説明】
【００５６】
１０１        ケーブルコネクタ
１０２        ハウジング
１０３        コンタクト
１０４        貫通孔
１０６        ピンコンタクト（接触部の残りの一部、第２部材）
１０６ｃ      第２部材における接触部の一部分に接触する領域
１０７Ａ〜１０７Ｅ        ワイヤ体（第１部材）
１０７Ｊ〜１０７Ｎ        ワイヤ体（第１部材）
１０７Ａ’〜１０７Ｅ’    棒状部材
１０７Ｌ      左端部（第１部分）
１０７Ｒ      右端部（第２部分）
１０８        ピンコンタクト当接部（接触部の一部）
１０９        プレス品
１１０        キャリア部
１１２        連結部
５０２        端子ピン（第１端子）
６０２        ＦＦＣ端子（第２端子）
ＶＬ          仮想線
【図１】
2011049039.tif 000003
【図２】
2011049039.tif 000004
【図３】
2011049039.tif 000005
【図４】
2011049039.tif 000006
【図５】
2011049039.tif 000007
【図６】
2011049039.tif 000008
【図７】
2011049039.tif 000009
【図８】
2011049039.tif 000010
【図９】
2011049039.tif 000011
【図１０】
2011049039.tif 000012
【図１１】
2011049039.tif 000013
【図１２】
2011049039.tif 000014
【図１３】
2011049039.tif 000015